(57)【要約】【課題】  予めダウンミックスされた2チャンネル音声をマルチチャンネル音声と同時に再生する技術を提供する。【解決手段】  外部より入力される音声ストリームからマルチチャンネル圧縮データ部と2チャンネル圧縮データ部を分離する分離部と、前記マルチチャンネル圧縮データ部をデコードしマルチチャンネル端子へ出力させるマルチチャンネルデコーダ部と、前記2チャンネル圧縮データ部をデコードし2チャンネル専用端子へ出力させる2チャンネルデコーダ部とを具備することを特徴とする音声出力装置。【選択図】      図３
2009192944.tif 000002
【特許請求の範囲】
【請求項１】
外部より入力される音声ストリームからマルチチャンネル圧縮データ部と2チャンネル圧縮データ部を分離する分離部と、
前記マルチチャンネル圧縮データ部をデコードしマルチチャンネル端子へ出力させるマルチチャンネルデコーダ部と、
前記2チャンネル圧縮データ部をデコードし2チャンネル専用端子へ出力させる2チャンネルデコーダ部とを
具備することを特徴とする音声出力装置。
【請求項２】
外部より入力される音声ストリームからマルチチャンネル圧縮データ部と2チャンネル圧縮データ部を分離する分離部と、
前記2チャンネル圧縮データ部をデコードし2チャンネル専用端子へ出力させまたデコード中間データを発生する2チャンネルデコーダ部と、
前記マルチチャンネル圧縮データ部をデコードし前記デコード中間データを一部利用して再構築されたマルチチャンネル音声をマルチチャンネル端子へ出力させるマルチチャンネルデコーダ部とを
具備することを特徴とする音声出力装置。
【請求項３】
外部より受信される音声ストリーム信号を受信し音声ストリームデータを出力する受信部と、
この音声ストリームデータからマルチチャンネル圧縮データ部と2チャンネル圧縮データ部を分離する分離部と、
前記マルチチャンネル圧縮データ部をデコードしマルチチャンネル端子へ出力させるマルチチャンネルデコーダ部と、
前記2チャンネル圧縮データ部をデコードし送信部へ出力させる2チャンネルデコーダ部と、
このデコード結果に基づいた信号を2チャンネル専用端子へ出力させる送信部とを
具備することを特徴とする音声出力装置。
【請求項４】
外部より入力される音声ストリームからマルチチャンネル圧縮データ部と2チャンネル圧縮データ部を分離する分離工程と、
前記マルチチャンネル圧縮データ部をデコードしマルチチャンネル端子へ出力させるマルチチャンネルデコード工程と、
前記2チャンネル圧縮データ部をデコードし2チャンネル専用端子へ出力させる2チャンネルデコード工程とを
備えたことを特徴とする音声出力方法。
【発明の詳細な説明】
【技術分野】
【０００１】
本発明は、この発明は、圧縮音声ストリームを出力する音声出力装置及び音声出力方法の改良に係わり、特に複数音声の同時出力方法に関する。
【背景技術】
【０００２】
周知のように、近年では、デジタル記録媒体としてＤＶＤ（digital versatile disk）等の光ディスクが普及している。そして、現在では、ＤＶＤよりもさらに高密度記録が可能な、いわゆるＨＤ（high definition）−ＤＶＤと称されるハイビジョン対応の次世代ＤＶＤ規格も完成している。
【０００３】
ところで、この種の次世代光ディスクでは、音声記録に対して、例えばＤＴＳ（digital theater system）−ＨＤ（high definition）やdolby trueＨＤ等のような新規フォーマットが開発されている。この新規フォーマットでは、音声再生するチャンネル数をコンテンツ作成者が自由に設定することができるようになっている。
【０００４】
ここで従来、HD DVDプレーヤなどのマルチチャンネルモデルは、マルチチャンネル端子とは独立して2チャンネル専用端子を有している。ここで、2チャンネル専用端子への出力音声は、マルチチャンネル端子へ出力される音声からのダウンミックス処理を施すことにより生成される。
【０００５】
一方で、新規フォーマットをなす次世代音声コーデックにおいて、Lossless圧縮方式であるということ以外にも特徴がある。即ち、予めダウンミックスされた2チャンネル音声がマルチチャンネル音声と共存する形でエンコード可能でこの場合、エンコード時のダウンミックス係数はストリーム内に存在しない。また予めダウンミックスされた2チャンネル音声のデコード中間結果を利用し、マルチチャンネル音声のデコードが可能という特徴がある。
【０００６】
ところで、このようなストリームを従来手法で2チャンネル専用端子に出力させる場合、次の課題が存在する。
１．予めダウンミックスされた音声とプレーヤが出力するダウンミックス音声が異なる(エンコード時のダウンミックス係数が不明であるため)
２．元々のLossless音声がダウンミックス処理を介すことによりLossy音声として出力される(品質劣化)
このうち特に上記１の課題に関しては、コンテンツ作成者が意図したダウンミックス2チャンネル音声を出力できないという課題を解決するための技術が求められている。コンテンツ作成者がエンコード時に使用した2chへのダウンミックス係数が不明であるため、プレーヤにおいて適切なダウンミックス係数を用いてダウンミックス処理ができないからである。
【０００７】
これに対し、特許文献１に記載されているオーディオ信号処理装置は、マルチチャンネルのオーディオ信号が入力され、2チャンネルのディジタル信号を出力するとき、自動的に入力チャンネルを2チャンネルのデジタルオーディオ信号に切り替えるというものである。しかし、上記課題を解決する技術は開示されていないという問題がある。
【特許文献１】特開２００７−１０４１５９号公報
【発明の開示】
【発明が解決しようとする課題】
【０００８】
本発明は、予めダウンミックスされた2チャンネル音声をマルチチャンネル音声と同時に再生する技術を提供することを目的とする。
【課題を解決するための手段】
【０００９】
上記課題を解決するために、本発明の音声出力装置は、外部より入力される音声ストリームからマルチチャンネル圧縮データ部と2チャンネル圧縮データ部を分離する分離部と、前記マルチチャンネル圧縮データ部をデコードしマルチチャンネル端子へ出力させるマルチチャンネルデコーダ部と、前記2チャンネル圧縮データ部をデコードし2チャンネル専用端子へ出力させる2チャンネルデコーダ部とを具備することを特徴とする。
【発明の効果】
【００１０】
本発明によれば、予めダウンミックスされた2チャンネル音声をマルチチャンネル音声と同時に再生する技術が得られる。
【発明を実施するための最良の形態】
【００１１】
以下、本発明の実施形態を説明する。
【実施例１】
【００１２】
本発明による実施形態１を図１乃至図３を参照して説明する。
まず通常、HD DVDプレーヤのマルチチャンネルモデルは、マルチチャンネル音声出力端子とは独立して、2チャンネル音声出力端子を独立して備えている。マルチチャンネル音声をデコードしている際、2チャンネル音声出力端子には上記マルチチャンネル音声に対してダウンミックス処理を施した音声を出力させる。
【００１３】
一方で、(TrueHDやDTS-HDなどの)次世代音声圧縮方式では可逆圧縮(Lossless)が可能であると共に、1つの圧縮音声ストリーム内にマルチチャンネル音声と、コンテンツプロバイダが予めエンコードの際にダウンミックスした2チャンネル音声が各々独立して存在できるような仕組みが提供されている。この際、エンコードの際に使用されたダウンミックス係数の情報は、圧縮音声ストリーム内に記録されることはない。
【００１４】
このような従来の構成のプレーヤにおいて、上記圧縮音声ストリームを再生させた場合、先ずマルチチャンネル音声をデコードし、このデコードされたマルチチャンネル音声に対してダウンミックス処理を施すことにより、2チャンネル音声を生成することを試みる。2チャンネル音声出力端子から出力される音声は、ダウンミックス係数が不明であることから最適なダウンミックス係数を用いてダウンミックス処理を行うことができず、予め圧縮音声ストリームに存在している2チャンネル音声とは異なるという課題がある。また、プレーヤ側でダウンミックス処理を施してしまうことにより、次世代音声圧縮方式の可逆圧縮(Lossless)であるという利点が損なわれてしまう。本実施形態は、この課題を解決することを目的としている。
【００１５】
以下、この発明の実施の形態について図面を参照して説明する。図１は、この実施の形態で説明するディスク再生装置１１の概略を示している。このディスク再生装置１１は、例えばＨＤ−ＤＶＤ等の光ディスク１２を装着し、その記録データを読み取るディスクドライブ部１３を備えている。
【００１６】
そして、ディスクドライブ部１３により光ディスク１２から読み取られたデータは、トラックバッファ１４に一旦格納された後、デマルチプレクサ部１５に供給される。このデマルチプレクサ部１５は、入力されたデータを、圧縮映像ストリームと、メインオーディオ及びサブオーディオとなる２つの圧縮音声ストリームとに分離している。
【００１７】
このうち、圧縮映像ストリームは、複数のビデオパック（Ｖ＿ＰＣＫ）で構成されている。この圧縮映像ストリームは、映像入力バッファ１６に格納された後、映像デコーダ１７に供給されて復号化処理が施される。そして、復号化された映像データは、Ｄ／Ａ（digital／analog）変換部１８に供給されてアナログの映像データに変換された後、映像出力端子１９を介して外部に取り出され、例えば図示しないモニタによる映像表示に供される。
【００１８】
また、上記デマルチプレクサ部１５で分離されたメインオーディオとなる第１の圧縮音声ストリームは、複数のメインオーディオパック（ＭＡ＿ＰＣＫ）で構成されている。この圧縮音声ストリームは、主音声入力バッファ２０に格納された後、Main Audio デコーダ２１に供給されてメインオーディオがデコードされる。そして、このMain Audio デコーダ２１から出力されるメインオーディオは、主音声バッファ２２に格納された後、ミキシング処理部２３に供給される。
【００１９】
さらに、上記デマルチプレクサ部１５で分離されたサブオーディオとなる第２の圧縮音声ストリームは、複数のサブオーディオパック（ＳＡ＿ＰＣＫ）で構成されている。この圧縮音声ストリームは、副音声入力バッファ２４に格納された後、Sub Audio デコーダ２５に供給されてサブオーディオがデコードされる。そして、このSub Audio デコーダ２５から出力されるサブオーディオは、副音声バッファ２６に格納された後、上記ミキシング処理部２３に供給される。
【００２０】
また、このディスク再生装置１１は、音声入力部２７を備えている。この音声入力部２７は、例えばリムーバブルな情報記録媒体やネットワークサーバ等から、エフェクトオーディオとなる非圧縮（ＰＣＭ：pulse code modulation）の音声データ（ＥＦ＿ＰＣＭ）を取得している。この音声入力部２７で取得された非圧縮音声データ（ＥＦ＿ＰＣＭ）は、エフェクトバッファ２８に格納された後、上記ミキシング処理部２３に供給される。
【００２１】
さらに、このミキシング処理部２３には、係数設定部２９に設定されているミクシング係数が供給されている。このミクシング係数は、例えば、再生時に光ディスク１１から取得するもので、ミキシング処理部において、メインオーディオ、サブオーディオ及びエフェクトオーディオをミクシングする際に利用されるものである。
【００２２】
ミキシング処理部でミキシングされた音声は、インターフェース部３０により例えばＨＤＭＩ（high definition multimedia interface）規格等に準拠した伝送形態に変換された後、デジタル音声出力端子３１を介して外部に取り出される。このデジタル音声出力端子３１には、例えば圧縮音声ストリームを復号する機能を備えたＡＶアンプ等が接続され、多チャンネルで高音質な音声再生が行なえるようになっている。
【００２３】
なお、上記映像デコーダ１７とミキシング処理部２３とは、同期制御部３２により、映像の出力タイミングと音声の出力タイミングとが制御されている。これにより、最終的に、表示される映像と再生される音声とが同期するように制御されることになる。
【００２４】
ここで、このディスク再生装置１１は、上記した再生動作を含むその全ての動作を制御部３３によって統括的に制御されている。この制御部３３は、ＣＰＵ（central processing unit）等を内蔵しており、操作部３４からの操作情報、または、リモートコントローラ３５から送出され受光部３６で受信した操作情報を受け、その操作内容が反映されるように各部をそれぞれ制御している。
【００２５】
この場合、制御部３３は、メモリ部３７を利用している。このメモリ部３７としては、主として、制御部３３のＣＰＵが実行するための制御プログラムを格納したＲＯＭ（read only memory）と、該ＣＰＵに作業エリアを提供するためのＲＡＭ（random access memory）と、各種の設定情報及び制御情報等を格納するための不揮発性メモリとを有している。
【００２６】
図２に本実施形態の要部の機能構成を示す。本実施形態では、入力された圧縮音声ストリーム内にマルチチャンネル圧縮音声と2チャンネル圧縮音声が両方とも存在する場合、分離部１においてマルチチャンネル圧縮音声データと2チャンネル圧縮音声データとを分離させる。その後、マルチチャンネル圧縮音声データはマルチチャンネル音声デコーダ２に入力され、マルチチャンネル音声のデコード処理およびマルチチャンネル出力端子４へ出力させる。一方、分離された2チャンネル圧縮音声データは2チャンネル音声デコーダ３に入力され、2チャンネル音声のデコード処理および2チャンネル音声出力端子５へ出力させる。このように、エンコード時に予めダウンミックスした音声が存在しダウンミックス係数が不明であるような圧縮音声ストリームの再生においては、ダウンミックス処理を省き、2チャンネル圧縮音声データをデコードして出力させる構成にすることにより、コンテンツプロバイダが意図した2チャンネル音声を2チャンネル音声出力端子５に出力させることが可能となる。
【００２７】
図３は、ディスク再生装置１１内における処理のフローチャートである。
まずストリーム解析を行う（ステップＳ２０１）。次にそのストリーム内に２ｃｈ音声が存在するか否かを判定する（ステップＳ２０２）。
ステップＳ２０２で２ｃｈ音声が存在すると判定された場合には、マルチチャンネル圧縮データと２ｃｈ圧縮データとを分離する（ステップＳ２０３）。次に音声デコード処理を行う（ステップＳ２０４）。
【００２８】
ステップＳ２０２で２ｃｈ音声が存在しないと判定された場合には、マルチチャンネル音声デコード処理を行う（ステップＳ２０５）。次にダウンミックス処理を行う（ステップＳ２０６）。
【００２９】
ステップＳ２０２で２ｃｈ音声が存在するか否かを問わず、各出力端子へデコード音声を出力する（ステップＳ２０７）。
【実施例２】
【００３０】
本発明による実施形態２を図１及び図３乃至図４を参照して説明する。実施形態１と共通する部分は説明を省略する。
図４は、上記圧縮ストリームを再生するための構成を示している。図２との差異は2チャンネル圧縮データのデコード中間結果とマルチチャンネル圧縮データのデコード結果からマルチチャンネル音声を復元している点である。
【００３１】
次世代圧縮音声方式の他の特徴として、予めダウンミックスされた2チャンネル音声のデコード中間結果を利用してマルチチャンネル音声をデコードするような仕組みも提供されている。即ち、マルチチャンネル圧縮音声データ内には2チャンネル圧縮音声データからマルチチャンネル音声をデコードするための差分情報が記録されている。この差分情報に基づいてリコンストラクター６が、マルチチャンネル音声を復元している。
【実施例３】
【００３２】
本発明による実施形態３を図１及び図３及び図５を参照して説明する。実施形態１、２と共通する部分は説明を省略する。
その他、本発明はHD DVDプレーヤのみでなく、AVアンプにも適用が可能である。図５にAVアンプに適用した際の構成を示す。AVアンプにはHDMIなどのデジタルインターフェースを介して圧縮音声ストリームが転送される。これをHDMI受信部５６で受けて、マルチチャンネル音声および2チャンネル音声を各々デコードし、マルチチャンネル音声はスピーカーへ、2チャンネル音声はHDMI送信部５７を介してTVなどの外部接続機器へ出力する。
【００３３】
上記のようにこれら本実施形態では概要として、入力された圧縮音声ストリーム内にマルチチャンネル圧縮音声と2チャンネル圧縮音声が両方存在する場合）音声ストリームからマルチチャンネル圧縮データ部と2チャンネル圧縮データ部とを分離して、各々独立してデコードし、各々マルチチャンネル端子と2チャンネル専用端子とへ出力する。
【００３４】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３５】
【図１】この発明の一実施形態を示すもので、ディスク再生装置の概略を説明するために示すブロック構成図。
【図２】同実施形態の要部を示す機能ブロック図。
【図３】同実施形態に用いられるフローチャート。
【図４】本発明の他の実施形態の要部を示す機能ブロック図。
【図５】本発明の他の実施形態の要部を示す機能ブロック図。
【符号の説明】
【００３６】
１…分離部、２…マルチチャンネル音声デコーダ、３…2チャンネル音声デコーダ、４…マルチチャンネル出力端子、５…2チャンネル音声出力端子、６…リコンストラクター、１１…ディスク再生装置、１２…光ディスク、１３…ディスクドライブ部、１４…トラックバッファ、１５…デマルチプレクサ部、１６…映像入力バッファ、１７…映像デコーダ、１８…Ｄ／Ａ変換部、１９…映像出力端子、２０…主音声入力バッファ、２１…ＥＳ抽出部、２２…主音声バッファ、２３…多重化処理部、２４…副音声入力バッファ、２５…ＥＳ抽出部、２６…副音声バッファ、２７…音声入力部、２８…エフェクトバッファ、２９…係数設定部、３０…インターフェース部、３１…デジタル音声出力端子、３２…同期制御部、３３…制御部、３４…操作部、３５…リモートコントローラ、３６…受光部、３７…メモリ部、５１…分離部、５２…マルチチャンネル音声デコーダ、５３…2チャンネル音声デコーダ、５４…マルチチャンネル出力端子、５５…2チャンネル音声出力端子、５６…HDMI受信部、５７…HDMI送信部。
【図１】
2009192944.tif 000003
【図２】
2009192944.tif 000004
【図３】
2009192944.tif 000005
【図４】
2009192944.tif 000006
【図５】
2009192944.tif 000007